(57)【要約】【課題】消去器によって消え残った固定クラッタを抑圧できるクラッタ分別方法およびシステムを提供する。【解決手段】入力信号から固定クラッタ成分を消去する消去器１から出力される信号を帯域毎に通過させるための通過中心周波数が異なる複数の帯域フィルタ２−０〜２−Ｎと、複数の帯域フィルタのうちの通過中心周波数がゼロの帯域フィルタ２−０から出力される信号の振幅値と通過中心周波数がゼロの帯域フィルタ以外の帯域フィルタ２−１〜２−Ｎから出力される信号の振幅値との比率を算出する比率算出器５−１〜５−Ｎと、通過中心周波数がゼロの帯域フィルタ以外の帯域フィルタから出力される信号のうちの比率算出器で算出された比率が所定のしきい値を越えている信号をクラッタと判断し、入力信号からクラッタによる信号を分別するクラッタ処理手段６−１〜６−Ｎ、８とを備える。【選択図】      図１
2006003270.tif 000002
【特許請求の範囲】
【請求項１】
入力信号から固定クラッタ成分が消去された信号を、通過中心周波数が異なる複数の帯域毎に通過させるフィルタリングステップと、
前記フィルタリングステップで通過中心周波数がゼロの帯域を通過した信号の振幅値と前記通過中心周波数がゼロの帯域以外の帯域を通過した信号の振幅値との比率を算出する比率算出ステップと、
前記通過中心周波数がゼロの帯域以外の帯域を通過した信号のうちの前記比率算出ステップで算出された比率が所定のしきい値を越えている信号をクラッタと判断し、前記入力信号からクラッタによる信号を分別するクラッタ処理ステップと、
を備えたことを特徴とするクラッタ分別方法。
【請求項２】
前記通過中心周波数がゼロの帯域以外の帯域を通過した信号からドップラ変移を有するクラッタを抑圧するクラッタ抑圧ステップをさらに備え、
前記クラッタ処理ステップは、
前記通過中心周波数がゼロの帯域を通過した信号の振幅値に応じてしきい値を設定するしきい値設定ステップと、
前記比率算出ステップで算出された比率と前記しきい値設定ステップで設定されたしきい値とを比較した結果、前記比率がしきい値を越えている場合に選択禁止信号を生成する比較ステップと、
前記クラッタ抑圧ステップでクラッタが抑圧された信号のうち前記比較ステップで生成された選択禁止信号に対応する信号以外の信号の振幅の最大値を合成して出力信号を生成するステップと、
を備えたことを特徴とする請求項１記載のクラッタ分別方法。
【請求項３】
前記通過中心周波数がゼロの帯域以外の帯域を通過した信号からドップラ変移を有するクラッタを抑圧するクラッタ抑圧ステップをさらに備え、
前記クラッタ処理ステップは、
前記通過中心周波数がゼロの帯域を通過した信号の振幅値に応じてしきい値を設定するしきい値設定ステップと、
前記比率算出ステップで算出された比率と前記しきい値設定ステップで設定されたしきい値とを比較した結果、前記比率がしきい値を越えている場合に選択禁止信号を生成する比較ステップと、
前記クラッタ抑圧ステップでクラッタが抑圧された信号のうち前記比較ステップで生成された選択禁止信号に対応する信号に基づく目標の検出を禁止し、前記選択禁止信号以外の信号に基づき目標を検出する目標検出ステップと、
を備えたことを特徴とする請求項１記載のクラッタ分別方法。
【請求項４】
前記比率算出ステップは、
前記複数の帯域フィルタのうちの通過中心周波数がゼロの帯域を通過した信号の振幅値と前記通過中心周波数がゼロの帯域以外の帯域であって、前記通過中心周波数がゼロの近傍の帯域を通過した信号の振幅値との比率を算出することを特徴とする請求項１記載のクラッタ分別方法。
【請求項５】
入力信号から固定クラッタ成分を消去する消去器と、
前記消去器から出力される信号を帯域毎に通過させるための通過中心周波数が異なる複数の帯域フィルタと、
前記複数の帯域フィルタのうちの通過中心周波数がゼロの帯域フィルタから出力される信号の振幅値と前記通過中心周波数がゼロの帯域フィルタ以外の帯域フィルタから出力される信号の振幅値との比率を算出する比率算出器と、
前記通過中心周波数がゼロの帯域フィルタ以外の帯域フィルタから出力される信号のうちの前記比率算出器で算出された比率が所定のしきい値を越えている信号をクラッタと判断し、前記入力信号からクラッタによる信号を分別するクラッタ処理手段と、
を備えたことを特徴とするクラッタ分別システム。
【請求項６】
前記通過中心周波数がゼロの帯域フィルタ以外の帯域フィルタを通過した信号からドップラ変移を有するクラッタを抑圧するクラッタ抑圧器をさらに備え、
前記クラッタ処理手段は、
前記通過中心周波数がゼロの帯域フィルタから出力される信号の振幅値に応じてしきい値を設定するしきい値設定器と、
前記比率算出器で算出された比率と前記しきい値設定器で設定されたしきい値とを比較した結果、前記比率がしきい値を越えている場合に選択禁止信号を生成する比較器と、
前記クラッタ抑圧器から出力される信号のうち前記比較器から出力される選択禁止信号に対応する信号以外の信号の振幅の最大値を合成して出力信号を生成する選択禁止機能付最大値選択器と、
を備えたことを特徴とする請求項５記載のクラッタ分別システム。
【請求項７】
前記複数の帯域フィルタのうちの通過中心周波数がゼロの帯域フィルタ以外の帯域フィルタを通過した信号からドップラ変移を有するクラッタを抑圧するクラッタ抑圧器をさらに備え、
前記クラッタ処理手段は、
前記通過中心周波数がゼロの帯域フィルタから出力される信号の振幅値に応じてしきい値を設定するしきい値設定器と、
前記比率算出器で算出された比率と前記しきい値設定器で設定されたしきい値とを比較した結果、前記比率がしきい値を越えている場合に選択禁止信号を生成する比較器と、
前記クラッタ抑圧器から出力される信号のうち前記比較器から出力される選択禁止信号に対応する信号に基づく目標の検出を禁止し、前記選択禁止信号以外の信号に基づき目標を検出する目標検出手段と、
を備えたことを特徴とする請求項５記載のクラッタ分別システム。
【請求項８】
前記比率算出器は、
前記複数の帯域フィルタのうちの通過中心周波数がゼロの帯域フィルタから出力される信号の振幅値と前記通過中心周波数がゼロの帯域フィルタ以外の帯域フィルタであって、前記通過中心周波数がゼロの近傍の帯域フィルタから出力される信号の振幅値との比率を算出することを特徴とする請求項５記載のクラッタ分別システム。
【発明の詳細な説明】
【技術分野】
【０００１】
本発明は、レーダ信号処理の分野において、目標とクラッタとを分別するクラッタ分別方法およびクラッタ分別システムに関する。
【背景技術】
【０００２】
従来、目標と目標以外からの不要反射信号であるクラッタを分別するレーダ信号処理装置が知られている（例えば、特許文献１の従来の技術の欄参照）。図９はこの種の従来のレーダ信号処理装置の一例の構成を示すブロック図である。
【０００３】
このレーダ信号処理装置は、消去器１、Ｎ個（Ｎは正の整数、以下においても同じ）のフィルタ２−１〜２−Ｎ、Ｎ個のクラッタ抑圧器３−１〜３−Ｎおよび最大値選択器４を有して構成されている。
【０００４】
消去器１は、入力ビデオ信号からドップラ成分を含まない固定クラッタ成分を消去する。入力ビデオ信号は、Ｉ成分およびＱ成分から成るディジタルビデオ信号である。消去器１によって固定クラッタ成分が消去されたビデオ信号は、Ｎ個のフィルタ２−１〜２−Ｎに送られる。
【０００５】
Ｎ個のフィルタ２−１〜２−Ｎは、通過中心周波数が異なるＮ個の帯域フィルタから構成されている。Ｎ個のフィルタ２−１〜２−Ｎは、消去器１から送られてくる固定クラッタ成分が消去されたビデオ信号に含まれる目標と例えば雲のようなドップラ変移を有するクラッタとを周波数分離するために使用される。Ｎ個のフィルタ２−１〜２−Ｎの出力は、Ｎ個のクラッタ抑圧器３−１〜３−Ｎにそれぞれ送られる。
【０００６】
Ｎ個のクラッタ抑圧器３−１〜３−Ｎは、各周波数帯のドップラ変移を有するクラッタを抑圧する。Ｎ個のクラッタ抑圧器３−１〜３−Ｎの各々では、クラッタを抑圧するための処理として、一般に、誤警報確率を一定かつ低く抑えることのできるＣＦＡＲ（Constant False Alarm Rate）処理が採用される。Ｎ個のクラッタ抑圧器３−１〜３−Ｎの出力は、最大値選択器４に送られる。
【０００７】
最大値選択器４は、Ｎ個のクラッタ抑圧器３−１〜３−Ｎから送られてくる、固定クラッタ成分が消去され且つドップラ変移を有するクラッタが抑圧された信号の振幅値を同一レンジビン毎に比較し、振幅の最大値を選択する。そして、最大値選択器４は、各レンジビンの振幅の最大値を合成し、出力ビデオ信号として出力する。
【０００８】
従来のレーダ信号処理装置によれば、ドップラ変移を有しない固定クラッタ成分を消去器１で消去でき、また、ドップラ変移を有するクラッタであっても、レンジ方向にある程度の広がりを有するクラッタであれば、クラッタ抑圧器３−１〜３−Ｎで抑圧することができる。
【特許文献１】特許第２８６５０８４号公報
【非特許文献１】吉田孝監修、「改訂レーダ技術」、電子情報通信学会、１９９６．
【０００９】
【発明の開示】
【発明が解決しようとする課題】
【００１０】
しかしながら、上述した特許文献１の従来の技術の欄に記載されているレーダ信号処理装置では、クラッタ抑圧器はレンジ方向にある程度の広がりを有するクラッタに対してのみ有効であり、レンジ方向の広がりが小さいクラッタは抑圧されず、出力ビデオ信号に含まれて出力されるという欠点がある。
【００１１】
また、特許文献１に開示されているクラッタ分離方法およびこれを用いたクラッタ分離システムでは、レンジ方向の広がりが小さく且つ周波数方向にある程度の広がりを有するクラッタに対して有効であるが、レンジ方向の広がりが小さく且つ周波数方向への広がりの小さなクラッタは抑圧されず、出力ビデオ信号に含まれて出力される。
【００１２】
このようなレンジ方向の広がりが小さく且つ周波数方向への広がりも小さなクラッタの具体例としては、消去器から出力される僅かなドップラ変移を有する固定クラッタの消え残りが挙げられる。この消え残った固定クラッタは、レンジ方向の広がりが小さいため、後段のクラッタ抑圧器でも抑圧されない。実際に、固定クラッタといえども、僅かなドップラ変移を有していることが知られており、消去器は、固定クラッタを完全に消去することはできず、消え残った固定クラッタが出力ビデオ信号に含まれて出力される。その結果、目標とクラッタとを分別できないという欠点がある。
【００１３】
本発明は、上述した欠点を解消するためになされたものであり、消去器によって消え残った固定クラッタを抑圧できるクラッタ分別方法およびクラッタ分別システムを提供することにある。
【課題を解決するための手段】
【００１４】
本発明は、僅かなドップラ変移を有する固定クラッタは、消去器によっても完全に消去されることなく消去器から出力されるが、そのエネルギーは、中心周波数がゼロの近傍に集中しているため、通過中心周波数がゼロの帯域フィルタの出力により、消え残った固定クラッタの有無を判定することができるという点に着目してなされたものである。
【００１５】
即ち、第１の発明に係るクラッタ分別方法は、上記課題を解決するために、入力信号から固定クラッタ成分が消去された信号を、通過中心周波数が異なる複数の帯域毎に通過させるフィルタリングステップと、フィルタリングステップで通過中心周波数がゼロの帯域を通過した信号の振幅値と通過中心周波数がゼロの帯域以外の帯域を通過した信号の振幅値との比率を算出する比率算出ステップと、通過中心周波数がゼロの帯域以外の帯域を通過した信号のうちの比率算出ステップで算出された比率が所定のしきい値を越えている信号をクラッタと判断し、入力信号からクラッタによる信号を分別するクラッタ処理ステップとを備えたことを特徴とする。
【００１６】
また、第２の発明に係るクラッタ分別方法は、通過中心周波数がゼロの帯域以外の帯域を通過した信号からドップラ変移を有するクラッタを抑圧するクラッタ抑圧ステップをさらに備え、クラッタ処理ステップは、通過中心周波数がゼロの帯域を通過した信号の振幅値に応じてしきい値を設定するしきい値設定ステップと、比率算出ステップで算出された比率としきい値設定ステップで設定されたしきい値とを比較した結果、比率がしきい値を越えている場合に選択禁止信号を生成する比較ステップと、クラッタ抑圧ステップでクラッタが抑圧された信号のうち比較ステップで生成された選択禁止信号に対応する信号以外の信号の振幅の最大値を合成して出力信号を生成するステップを備えたことを特徴とする。
【００１７】
また、第３の発明に係るクラッタ分別方法は、第１の発明に係るクラッタ分別方法において、通過中心周波数がゼロの帯域以外の帯域を通過した信号からドップラ変移を有するクラッタを抑圧するクラッタ抑圧ステップをさらに備え、クラッタ処理ステップは、通過中心周波数がゼロの帯域を通過した信号の振幅値に応じてしきい値を設定するしきい値設定ステップと、比率算出ステップで算出された比率としきい値設定ステップで設定されたしきい値とを比較した結果、比率がしきい値を越えている場合に選択禁止信号を生成する比較ステップと、クラッタ抑圧ステップでクラッタが抑圧された信号のうち比較ステップで生成された選択禁止信号に対応する信号に基づく目標の検出を禁止し、選択禁止信号以外の信号に基づき目標を検出する目標検出ステップとを備えたことを特徴とする。
【００１８】
また、第４の発明に係るクラッタ分別方法は、第１の発明に係るクラッタ分別方法において、比率算出ステップは、複数の帯域フィルタのうちの通過中心周波数がゼロの帯域を通過した信号の振幅値と通過中心周波数がゼロの帯域以外の帯域であって、通過中心周波数がゼロの近傍の帯域を通過した信号の振幅値との比率を算出することを特徴とする。
【００１９】
また、第５の発明に係るクラッタ分別システムは、入力信号から固定クラッタ成分を消去する消去器と、消去器から出力される信号を帯域毎に通過させるための通過中心周波数が異なる複数の帯域フィルタと、複数の帯域フィルタのうちの通過中心周波数がゼロの帯域フィルタから出力される信号の振幅値と通過中心周波数がゼロの帯域フィルタ以外の帯域フィルタから出力される信号の振幅値との比率を算出する比率算出器と、通過中心周波数がゼロの帯域フィルタ以外の帯域フィルタから出力される信号のうちの比率算出器で算出された比率が所定のしきい値を越えている信号をクラッタと判断し、入力信号からクラッタによる信号を分別するクラッタ処理手段とを備えたことを特徴とする。
【００２０】
また、第６の発明に係るクラッタ分別システムは、第５の発明に係るクラッタ分別システムにおいて、通過中心周波数がゼロの帯域フィルタ以外の帯域フィルタを通過した信号からドップラ変移を有するクラッタを抑圧するクラッタ抑圧器をさらに備え、クラッタ処理手段は、通過中心周波数がゼロの帯域フィルタから出力される信号の振幅値に応じてしきい値を設定するしきい値設定器と、比率算出器で算出された比率としきい値設定器で設定されたしきい値とを比較した結果、比率がしきい値を越えている場合に選択禁止信号を生成する比較器と、クラッタ抑圧器から出力される信号のうち比較器から出力される選択禁止信号に対応する信号以外の信号の振幅の最大値を合成して出力信号を生成する選択禁止機能付最大値選択器とを備えたことを特徴とする。
【００２１】
また、第７の発明に係るクラッタ分別システムは、第５の発明に係るクラッタ分別システムにおいて、複数の帯域フィルタのうちの通過中心周波数がゼロの帯域フィルタ以外の帯域フィルタを通過した信号からドップラ変移を有するクラッタを抑圧するクラッタ抑圧器をさらに備え、クラッタ処理手段は、通過中心周波数がゼロの帯域フィルタから出力される信号の振幅値に応じてしきい値を設定するしきい値設定器と、比率算出器で算出された比率としきい値設定器で設定されたしきい値とを比較した結果、比率がしきい値を越えている場合に選択禁止信号を生成する比較器と、クラッタ抑圧器から出力される信号のうち比較器から出力される選択禁止信号に対応する信号に基づく目標の検出を禁止し、選択禁止信号以外の信号に基づき目標を検出する目標検出手段とを備えたことを特徴とする。
【００２２】
また、第８の発明に係るクラッタ分別システムは、第５の発明に係るクラッタ分別システムにおいて、比率算出器は、複数の帯域フィルタのうちの通過中心周波数がゼロの帯域フィルタから出力される信号の振幅値と通過中心周波数がゼロの帯域フィルタ以外の帯域フィルタであって、通過中心周波数がゼロの近傍の帯域フィルタから出力される信号の振幅値との比率を算出することを特徴とする。
【発明の効果】
【００２３】
第１の発明に係るクラッタ分別方法によれば、入力信号から固定クラッタ成分が消去された信号を、通過中心周波数が異なる複数の帯域毎に通過させ、通過中心周波数がゼロの帯域を通過した信号の振幅値と通過中心周波数がゼロの帯域以外の帯域を通過した信号の振幅値との比率を算出し、通過中心周波数がゼロの帯域以外の帯域を通過した信号のうちの比率が所定のしきい値を越えている信号をクラッタと判断して分別するので、入力信号から固定クラッタ成分を消去する際に消え残って通過中心周波数がゼロの帯域以外の帯域を通過することとなった信号はクラッタと判断されて分別できる。従って、分別されたクラッタを抑圧することにより、入力信号から固定クラッタ成分を消去する際に消え残った固定クラッタを抑圧できる。
【００２４】
また、第２の発明に係るクラッタ分別方法によれば、通過中心周波数がゼロの帯域を通過した信号の振幅値に応じたしきい値と比率とを比較した結果、比率がしきい値を越えている場合に選択禁止信号を生成し、通過中心周波数がゼロの帯域以外の帯域を通過した信号からドップラ変移を有するクラッタを抑圧した信号のうち選択禁止信号に対応する信号以外の信号の振幅の最大値を合成して出力信号を生成するので、選択禁止信号に対応する信号、換言すれば、入力信号から固定クラッタ成分を消去する際に消え残った信号は、出力信号の合成から除外される。従って、入力信号から固定クラッタ成分を消去する際に消え残った固定クラッタを抑圧できる。
【００２５】
また、第３の発明に係るクラッタ分別方法によれば、通過中心周波数がゼロの帯域を通過した信号の振幅値に応じたしきい値と比率とを比較した結果、比率がしきい値を越えている場合に選択禁止信号を生成し、通過中心周波数がゼロの帯域以外の帯域を通過した信号からドップラ変移を有するクラッタを抑圧した信号のうちの選択禁止信号に対応する信号に基づく目標の検出を禁止し、選択禁止信号以外の信号に基づき目標を検出するので、選択禁止信号に対応する信号、換言すれば、入力信号から固定クラッタ成分を消去する際に消え残った信号は、目標検出の対象から除外される。従って、入力信号から固定クラッタ成分を消去する際に消え残った固定クラッタに起因する目標の誤検出を防止できる。
【００２６】
また、第４の発明に係るクラッタ分別方法によれば、複数の帯域フィルタのうちの通過中心周波数がゼロの帯域を通過した信号の振幅値と通過中心周波数がゼロの帯域以外の帯域であって、通過中心周波数がゼロの近傍の帯域を通過した信号の振幅値との比率を算出するので、入力信号から固定クラッタ成分を消去する際に消え残った固定クラッタが存在しない帯域、つまり通過中心周波数がゼロの近傍の帯域以外の帯域については比率の計算をする必要がない。従って、構成が簡単になるとともに、クラッタ分別のための処理を高速で行うことができる。
【００２７】
さらに、第５〜第８の発明に係るクラッタ分別システムによれば、それぞれ上述した第１〜第４の発明に係るクラッタ分別方法と同様の効果が得られる。
【発明を実施するための最良の形態】
【００２８】
以下、本発明のクラッタ分別方法及びクラッタ分別システムの実施の形態を図面を参照しながら詳細に説明する。なお、以下においては、従来の技術の欄で説明した構成部分に相当する部分には、従来の技術の欄で使用した符号と同じ符号を用いて説明する。
【実施例１】
【００２９】
図１は本発明の実施例１に係るクラッタ分別システムの構成を示すブロック図である。このクラッタ分別システムは、消去器１、Ｎ＋１個のフィルタ（Ｆ０）２−０〜フィルタ（ＦＮ）２−Ｎ、Ｎ個のクラッタ抑圧器３−１〜３−Ｎ、Ｎ個の比率算出器５−１〜５−Ｎ、Ｎ個の比較器６−１〜６−Ｎ、しきい値設定器７および選択禁止機能付最大値選択器８を有して構成されている。
【００３０】
本発明の実施例１に係るクラッタ分別システムは、図９に示した従来のクラッタ分離システムに、通過中心周波数がゼロの帯域フィルタであるフィルタ（Ｆ０）２−０、比率算出器５−１〜５−Ｎ、比較器６−１〜６−Ｎおよびしきい値設定器７が追加されるとともに、最大値選択器４が選択禁止機能付最大値選択器８に置き換えられることにより構成されている。
【００３１】
消去器１は、例えば２パルス・キャンセラ処理を実施することにより、入力ビデオ信号からドップラ成分を含まない固定クラッタ成分を消去する。入力ビデオ信号は、Ｉ成分およびＱ成分から成るディジタルビデオ信号である。この消去器１による固定クラッタ成分の消去にも拘わらず僅かなドップラ変移を有する固定クラッタが消え残ったビデオ信号は、Ｎ＋１個のフィルタ（Ｆ０）２−０〜フィルタ（ＦＮ）２−Ｎに送られる。
【００３２】
Ｎ個のフィルタ（Ｆ１）２−１〜フィルタ（ＦＮ）２−Ｎは、中心周波数が異なるＮ個の帯域フィルタから構成されている。フィルタ２−１〜２−Ｎは、消去器１から送られてくる固定クラッタ成分が消去されたビデオ信号に含まれる目標と例えば雲のようなドップラ変移を有するクラッタとを周波数分離するために使用される。フィルタ（Ｆ１）２−１〜フィルタ（ＦＮ）２−Ｎの出力は、Ｎ個のクラッタ抑圧器３−１〜３−ＮおよびＮ個の比率算出器５−１〜５−Ｎにそれぞれ送られる。また、フィルタ（Ｆ０）２−０は、中心周波数がゼロの帯域フィルタから構成されている。このフィルタ（Ｆ０）２−０の出力は、Ｎ個の比率算出器５−１〜５−Ｎおよびしきい値設定器７に送られる。
【００３３】
クラッタ抑圧器３−１〜３−Ｎは、各周波数帯のドップラ変移を有するクラッタを抑圧する。Ｎ個のクラッタ抑圧器３−１〜３−Ｎの各々では、クラッタを抑圧するための処理として、誤警報確率を一定かつ低く抑えることのできるＣＦＡＲ（Constant False Alarm Rate）処理が採用されている。クラッタ抑圧器３−１〜３−Ｎの出力は、選択禁止機能付最大値選択器８に送られる。
【００３４】
比率算出器５−１〜５−Ｎは、フィルタ（Ｆ１）２−１〜フィルタ（ＦＮ）２−Ｎから送られてくる固定クラッタ成分が消去され且つ周波数分離されたビデオ信号の振幅値ＡＦ１〜ＡＦＮと、フィルタ（Ｆ０）２−０から送られてくる固定クラッタ成分が消去され且つ中心周波数がゼロの成分を含むビデオ信号の振幅値ＡＦ０との比率ＡＦ０／ＡＦ１〜ＡＦ０／ＡＦＮをそれぞれ算出する。ここで、比率ＡＦ０／ＡＦ１〜ＡＦ０／ＡＦＮは、ビデオ信号の電力の比率と考えることができる。比率算出器５−１〜５−Ｎで算出された比率ＡＦ０／ＡＦ１〜ＡＦ０／ＡＦＮは、比較器６−１〜６−Ｎにそれぞれ送られる。
【００３５】
しきい値設定器７は、フィルタ（Ｆ０）２−０から送られてくるビデオ信号の振幅値ＡＦ０に基づきしきい値を算出し、比較器６−１〜６−Ｎに設定する。この場合、ビデオ信号の振幅値ＡＦ０が雑音レベルに相当するくらい小さい場合は、消え残った固定クラッタが少ないと判断して、しきい値の値を低く設定する。また、ビデオ信号の振幅値ＡＦ０が大きい場合は、消え残った固定クラッタが抑圧されずに出力されるのを防ぐために、しきい値を高く設定する。なお、しきい値は、各フィルタの消え残った固定クラッタに対する抑圧度の違いを考慮して、フィルタ毎に異なった値ＴＨ１〜ＴＨＮを設定するように構成できる。
【００３６】
比較器６−１〜６−Ｎは、比率算出器５−１〜５−Ｎから送られてくる比率ＡＦ０／ＡＦ１〜ＡＦ０／ＡＦＮと、しきい値設定器７から送られてくるしきい値ＴＨ１〜ＴＨＮとを入力して比較する。例えば、比較器６−１では、比率算出器５−１から送られてくる比率ＡＦ０／ＡＦ１としきい値設定器７から送られてくるしきい値ＴＨ１を比較し、比率ＡＦ０／ＡＦ１がしきい値ＴＨ１より大きい場合は、消え残った固定クラッタであると判断して、選択禁止機能付最大値選択器８に選択禁止信号を送る。
【００３７】
選択禁止機能付最大値選択器８では、比較器６−１〜６−Ｎから出力される選択禁止信号と、クラッタ抑圧器３−１〜３−Ｎの出力とを入力し、クラッタ抑圧器３−１〜３−Ｎの出力のうちの選択禁止信号に対応しない信号の振幅値を同一レンジビン毎に比較し、その最大値を選択する。そして、選択禁止機能付最大値選択器８は、各レンジビンの振幅の最大値を合成し、出力ビデオ信号として出力する。
【００３８】
次に、上記のように構成される本発明の実施例１に係るクラッタ分別システムの動作を、図２に示すフローチャートを参照しながら説明する。
【００３９】
まず、固定クラッタ成分の消去が行われる（ステップＳ１０）。即ち、消去器１は、入力ビデオ信号から固定クラッタ成分を消去し、フィルタ（Ｆ０）２−０〜フィルタ（ＦＮ）２−Ｎに送る。この場合、消去器１では、固定クラッタ成分は完全に除去されず、僅かなドップラ変移を有する固定クラッタが消え残った信号がフィルタ（Ｆ０）２−０〜フィルタ（ＦＮ）２−Ｎに送られる。
【００４０】
次に、フィルタリングが行われる（ステップＳ１１）。即ち、フィルタ（Ｆ０）２−０は中心周波数がゼロの帯域の信号を通過させ、フィルタ（Ｆ１）〜フィルタ（ＦＮ）２−Ｎは、それ以外の各周波数帯域の信号を通過させる。
【００４１】
次に、フィルタ（Ｆ０）を通過した信号であるかどうかが調べられる（ステップＳ１２）。ここで、フィルタ（Ｆ０）を通過した信号であることが判断されると、しきい値設定が行われる（ステップＳ１３）。即ち、しきい値設定器７は、フィルタ（Ｆ０）２−０から送られてくるビデオ信号の振幅値ＡＦ０に基づきしきい値を算出し、比較器６−１〜６−Ｎに設定する。その後、シーケンスはステップＳ１５に進む。
【００４２】
一方、ステップＳ１２で、フィルタ（Ｆ０）を通過した信号でない、つまりフィルタ（Ｆ１）２−１〜フィルタ（ＦＮ）２−Ｎを通過した信号であることが判断されると、比率算出が行われる（ステップＳ１４）。具体的には、比率算出器５−１〜５−Ｎは、フィルタ（Ｆ１）２−１〜フィルタ（ＦＮ）２−Ｎから送られてきた信号の振幅値ＡＦ１〜ＡＦＮと、フィルタ（Ｆ０）２−０から送られてきた信号の振幅値ＡＦ０との比率ＡＦ０／ＡＦ１〜ＡＦ０／ＡＦＮをそれぞれ算出する。その後、シーケンスはステップＳ１５に進む。
【００４３】
ステップＳ１５では、選択禁止信号の生成が行われる。即ち、比較器６−１〜６−Ｎは、比率算出器５−１〜５−Ｎから送られてくる比率ＡＦ０／ＡＦ１〜ＡＦ０／ＡＦＮと、しきい値設定器７から送られてくるしきい値ＴＨ１〜ＴＨＮとを入力して個々に比較する。この比較の結果、比率ＡＦ０／ＡＦ１〜ＡＦ０／ＡＦＮがしきい値ＴＨ１〜ＴＨＮより大きい信号については、消え残った固定クラッタであると判断して、選択禁止信号を生成する。この選択禁止信号は、選択禁止機能付最大値選択器８に送られる。
【００４４】
次に、クラッタ抑圧が行われる（ステップＳ１６）。即ち、クラッタ抑圧器３−１〜３−Ｎは、フィルタ（Ｆ１）２−１〜フィルタ（ＦＮ）２−Ｎから送られてくる信号に含まれる各周波数帯のドップラ変移を有するクラッタをそれぞれ抑圧する。なお、このクラッタ抑圧は、上記フィルタリングが行われた後の任意のステップで行うことができる。
【００４５】
次に、出力ビデオ信号が生成される（ステップＳ１７）。即ち、選択禁止機能付最大値選択器８は、ステップＳ１５において比較器６−１〜６−Ｎから出力される選択禁止信号と、ステップＳ１６においてクラッタ抑圧器３−１〜３−Ｎから出力される信号とを入力し、クラッタ抑圧器３−１〜３−Ｎから出力される信号のうちの選択禁止信号に対応しない信号の振幅値を同一レンジビン毎に比較し、その最大値を選択する。そして、選択禁止機能付最大値選択器８は、各レンジビンの振幅の最大値を合成し、出力ビデオ信号として出力する。これにより、消去器１の出力において、僅かなドップラ変移を有する固定クラッタの消え残りが発生しても、それを含まない出力ビデオ信号が出力される。
【００４６】
次に、上記のように構成されるクラッタ分別システムでクラッタ分別の動作をシミュレーションしたので、その結果を説明する。
【００４７】
今、図３（ａ）に示すような周波数方向にある程度の広がりを有する固定クラッタを含む入力ビデオ信号が、図３（ｂ）に示すような中心周波数がゼロにおいて利得が最小になるフィルタ特性を有する消去器１に入力された場合を考える。この場合、図３（ｃ）に示すように、通過中心周波数がゼロの部分は消去されるが、その前後に存在する僅かにドップラ変移をもった固定クラッタは消え残る。その結果、フィルタ（Ｆ０）の前後のフィルタ（Ｆ１）およびフィルタ（ＦＮ）から消え残りの固定クラッタ（図３（ｃ）中の斜線部分）が出力される。この固定クラッタは、レンジ方向に広がりを有しないため、クラッタ抑圧器３−１〜３−Ｎで抑圧されずに、そのまま出力される。
【００４８】
従来の技術の欄で説明したクラッタ分離システムでは、クラッタ抑圧器３−１〜３−Ｎから出力される消え残りの固定クラッタを含む信号の振幅値を同一レンジビン毎に比較し、振幅の最大値を選択し、各レンジビンの振幅の最大値を合成し、出力ビデオ信号として出力する。
【００４９】
従って、目標でないクラッタによるエコーが観測されてしまうという問題がある。これに対して、本発明の実施例１に係るクラッタ分別システムでは、クラッタ抑圧器３−１〜３−Ｎから出力される消え残りの固定クラッタを含む信号を除外した残りの信号の振幅値を同一レンジビン毎に比較し、振幅の最大値を選択し、各レンジビンの振幅の最大値を合成し、出力ビデオ信号として出力する。従って、目標でないクラッタによるエコーは観測されない。
【００５０】
図４はフィルタ（Ｆ０）２−０〜フィルタ（ＦＮ）２−Ｎの特性を示す。但し、説明を簡単にするために、Ｎ＝１の場合、即ち、フィルタ（Ｆ０）２−０およびフィルタ（Ｆ１）２−１のみが存在する場合を示している。フィルタ（Ｆ０）２−０は、中心周波数がゼロの時に最大の利得になるように構成されており、フィルタ（Ｆ１）２−１は中心周波数が±０．５のときに最大の利得になるように構成されている。
【００５１】
従って、フィルタ（Ｆ０）２−０は、消え残った固定クラッタが存在する場合は、その固定クラッタをほぼそのまま出力するので、消え残った固定クラッタを取り出すために使用される。一方、フィルタ（Ｆ１）２−１は、消え残った固定クラッタが存在しても、その固定クラッタを殆ど出力せず、他の帯域の信号を出力するので、目標を取り出すために使用される。
【００５２】
図５は図４に示した特性を有するフィルタ（Ｆ０）２−０およびフィルタ（Ｆ１）２−１を備えたクラッタ分別システムに、目標とノイズが含まれる信号を入力した場合のシミュレーション結果を示す。
【００５３】
図５（ａ）は目標とノイズを含む入力信号であって、横軸は周波数をスイープした信号を示している。図５（ｂ）は図５（ａ）に示す入力信号が入力された場合にフィルタ（Ｆ０）２−０から出力される信号の振幅値ＡＦ０とフィルタ（Ｆ１）２−１から出力される信号の振幅値ＡＦ１とを示している。
【００５４】
図５（ｂ）に示す振幅値ＡＦ０の波形は、次のような意味を有する。即ち、フィルタ（Ｆ０）２−０の利得は、図４に示すように、周波数が「０」の位置で最大になるが、その位置に出現する信号は、消去器１による消え残った固定クラッタであるので、振幅値ＡＦ０は小さくなる。また、フィルタ（Ｆ０）２−０の利得は、周波数が「０．５」の位置で最小になるので、その位置で振幅値ＡＦ０は小さくなる。一方、図５（ｂ）に示す振幅値ＡＦ１の波形は、次のような意味を有する。即ち、フィルタ（Ｆ１）２−１の利得は、図４に示すように、周波数が「０．５」の位置で最大になり、周波数が「０」の位置で最小になるので、振幅値ＡＦ１は、周波数が「０（１．０も同じ）」の位置で小さくなる。
【００５５】
図５（ｃ）は比率算出器５−１から出力される比率ＡＦ０／ＡＦ１を示す。この比率ＡＦ０／ＡＦ１がしきい値設定器７からのしきい値ＴＨ１より大きい場合に、クラッタと判断される。
【００５６】
図６は図４に示した特性を有するフィルタ（Ｆ０）２−０およびフィルタ（Ｆ１）２−１を備えたクラッタ分別システムに、クラッタとノイズが含まれる信号を入力した場合のシミュレーション結果を示す。
【００５７】
図６（ａ）はクラッタとノイズを含む入力信号であって、横軸はサンプル数（時間）を示している。図６（ｂ）は図６（ａ）に示す入力信号が入力された場合にフィルタ（Ｆ０）２−０から出力される信号の振幅値ＡＦ０とフィルタ（Ｆ１）２−１から出力される信号の振幅値ＡＦ１とを示している。
【００５８】
図６（ｂ）に示す振幅値ＡＦ０の波形は、次のような意味を有する。即ち、フィルタ（Ｆ０）２−０の出力は、フィルタ（Ｆ０）２−０が消去器１による消え残った固定クラッタをそのまま通過させるので、高いレベルを示している。一方、フィルタ（Ｆ１）２−１の出力は、フィルタ（Ｆ１）２−１が消去器１による消え残った固定クラッタの一部しか通過させないので、フィルタ（Ｆ０）２−０の出力に比べて低いレベルになる。
【００５９】
図６（ｃ）は比率算出器５−１から出力される比率ＡＦ０／ＡＦ１を示す。この比率ＡＦ０／ＡＦ１がしきい値設定器からのしきい値ＴＨ１より大きい場合に、クラッタと判断される。
【００６０】
以上説明したように、本発明の実施例１に係るクラッタ分別システムによれば、入力信号から固定クラッタ成分が消去された信号を、通過中心周波数が異なる複数の帯域毎に通過させ、通過中心周波数がゼロの帯域を通過した信号の振幅値と通過中心周波数がゼロの帯域以外の帯域を通過した信号の振幅値との比率を算出し、この比率と通過中心周波数がゼロの帯域を通過した信号の振幅値に応じたしきい値とを比較し、比率がしきい値を越えている場合に選択禁止信号を生成し、通過中心周波数がゼロの帯域以外の帯域を通過した信号からドップラ変移を有するクラッタを抑圧した信号のうち選択禁止信号に対応する信号以外の信号の振幅の最大値を合成して出力信号を生成する。
【００６１】
従って、選択禁止信号に対応する信号、換言すれば、入力信号から固定クラッタ成分を消去する際に消え残った信号は、出力信号の合成から除外される。その結果、入力信号から固定クラッタ成分を消去する際に消え残った固定クラッタを抑圧できる。
【００６２】
また、通過中心周波数がゼロの帯域以外の帯域を通過した信号のうちの比率が所定のしきい値を越えている信号をクラッタと判断して分別するので、入力信号から固定クラッタ成分を消去する際に消え残って通過中心周波数がゼロの帯域以外の帯域を通過することとなった信号はクラッタと判断されて分別できる。従って、この分別されたクラッタを抑圧することにより、入力信号から固定クラッタ成分を消去する際に消え残った固定クラッタを抑圧できる。
【実施例２】
【００６３】
本発明の実施例２に係るクラッタ分別システムは、実施例１に係るクラッタ分別システムを目標検出装置に適用したものである。
【００６４】
図７は本発明の実施例２に係るクラッタ分別システムの構成を示すブロック図である。このクラッタ分別システムは、図１に示した実施例１に係るクラッタ分別システムの選択禁止機能付最大値選択器８が検出禁止機能付目標検出器９−１〜９−Ｎに置き換えられることにより構成されている。
【００６５】
検出禁止機能付目標検出器９−１〜９−Ｎは、クラッタ抑圧器３−１〜３−Ｎの出力と、比較器６−１〜６−Ｎから出力される選択禁止信号とをそれぞれ入力し、選択禁止信号が入力されていない検出禁止機能付目標検出器のみが検出情報を出力する。
【００６６】
以上説明したように、本発明の実施例２に係るクラッタ分別システムによれば、比較器６−１〜６−Ｎから選択禁止信号を受け取った検出禁止機能付目標検出器は検出情報を出力しないので、入力ビデオ信号から固定クラッタ成分を消去する際に消え残った固定クラッタを含む信号は目標検出の対象から除外される。従って、入力信号から固定クラッタ成分を消去する際に消え残った固定クラッタに起因する目標の誤検出を防止できる。
【実施例３】
【００６７】
本発明の実施例３に係るクラッタ分別システムにおいては、入力ビデオ信号から固定クラッタ成分を消去する際に消え残った固定クラッタは、通過中心周波数がゼロのフィルタの前後に出現する点に着目し、実施例１に係るクラッタ分別システムにおける選択禁止機能付最大値選択器８の選択禁止処理を、通過中心周波数がゼロのフィルタの前後のフィルタの出力に対してのみ行うようにしたものである。
【００６８】
図８は本発明の実施例３に係るクラッタ分別システムの構成を示すブロック図である。このクラッタ分別システムは、図１に示した実施例１に係るクラッタ分別システムから、比率算出器５−２〜５−（Ｎ−１）および比較器６−２〜６−（Ｎ−１）が除去されて構成されている。
【００６９】
実施例３に係るクラッタ分別システムの動作は、クラッタ抑圧器３−１およびクラッタ抑圧器３−Ｎの出力のみが、選択禁止機能付最大値選択器８における選択可否の対象になる点を除けば、実施例１に係るクラッタ分別システムの動作と同じである。
【００７０】
以上説明したように、本発明の実施例３に係るクラッタ分別システムによれば、フィルタ（Ｆ０）２−０を通過した信号の振幅値と、フィルタ（Ｆ０）２−０の前後のフィルタ（Ｆ１）２−１およびフィルタ（ＦＮ）２−Ｎを通過した信号の振幅値との比率を算出し、この比率としきい値とを比較してフィルタ（Ｆ１）２−１およびフィルタ（ＦＮ）２−Ｎを通過した信号のみに対する選択禁止信号を生成するようにしたので、比率算出器５−２〜５−（Ｎ−１）および比較器６−２〜６−（Ｎ−１）が不要になる。
【００７１】
その結果、実施例１に係るクラッタ分別システムとほぼ同様の効果を得ることができ、また、クラッタ分別システムの構成が簡単になり、さらには、クラッタ分別のための処理を高速に行える。
【００７２】
なお、実施例３に係るクラッタ分別システムでは、フィルタ（Ｆ０）２−０の前後の２つのフィルタ（Ｆ１）２−１およびフィルタ（ＦＮ）２−Ｎのみを選択禁止信号の生成に使用したが、フィルタ（Ｆ０）２−０の近傍の３つ以上のフィルタを選択禁止信号の生成に使用するように構成することもできる。
【産業上の利用可能性】
【００７３】
本発明は、固定クラッタを消去するための消去器を備えるレーダ装置やソナー装置などに適用可能である。
【図面の簡単な説明】
【００７４】
【図１】本発明の実施例１に係るクラッタ分別システムの構成を示すブロック図である。
【図２】本発明の実施例１に係るクラッタ分別システムの動作を示すフローチャートである。
【図３】本発明の実施例１に係るクラッタ分別システムの動作を説明するための図である。
【図４】本発明の実施例１に係るクラッタ分別システムで使用されるフィルタの特性を示す図である。
【図５】本発明の実施例１に係るクラッタ分別システムに目標とノイズを含む信号が入力された場合のシミュレーション結果を示す図である。
【図６】本発明の実施例１に係るクラッタ分別システムにクラッタとノイズを含む信号が入力された場合のシミュレーション結果を示す図である。
【図７】本発明の実施例２に係るクラッタ分別システムの構成を示すブロック図である。
【図８】本発明の実施例３に係るクラッタ分別システムの構成を示すブロック図である。
【図９】従来のレーダ信号処理装置の一例の構成を示すブロック図である。
【符号の説明】
【００７５】
１  消去器
２−０〜２−Ｎ  フィルタ
３−１〜３−Ｎ  クラッタ抑圧器
４  最大値選択器
５−１〜５−Ｎ  比率算出器
６−１〜６−Ｎ  比較器
７  しきい値設定器
８  選択禁止機能付最大値選択器
９−１〜９−Ｎ  検出禁止機能付目標検出器
【図１】
2006003270.tif 000003
【図２】
2006003270.tif 000004
【図３】
2006003270.tif 000005
【図４】
2006003270.tif 000006
【図５】
2006003270.tif 000007
【図６】
2006003270.tif 000008
【図７】
2006003270.tif 000009
【図８】
2006003270.tif 000010
【図９】
2006003270.tif 000011